(57)【要約】  表示装置は、基板と；前記基板上に行列状に配されている表示ピクセルのアレイであって、１番目の及び最後の行は前記アレイの最上部及び最下部にあり、前記アレイの外形は非長方形である、表示ピクセルのアレイと；各々がピクセルのそれぞれの行に接続されている複数の行導体、及び各々がピクセルのそれぞれの列に接続されており、前記アレイの外側へ延在している複数の列導体と；各々が前記列導体に平行であると共に、それぞれの行導体から延在している複数の行導体のシュプールと；を有し、１番目の行のための前記シュプールは、前記アレイの外側へ延在しており、２番目の前記行から前記中間の行までの行のための前記シュプールは、前記１番目の行のための前記シュプールの一方の側に延在しており、前記中間の行の後の行から前記最後の行までの行のための前記シュプールが、前記１番目の行のためのシュプールの他方の側に延在している。
2008501138.tif 000002
【特許請求の範囲】
【請求項１】
−  基板と、
−  前記基板上に行列状に配されている表示ピクセルのアレイであって、１番目及び最後の行は前記アレイの最上部及び最下部にあり、前記アレイの外形は非長方形である、表示ピクセルのアレイと、
−  各々がピクセルのそれぞれの行に接続されている複数の行導体、及び各々がピクセルのそれぞれの列に接続されており、前記アレイの外側へ延在している複数の列導体と、
−  各々が前記列導体に平行であると共に、それぞれの行導体から前記アレイの外側へ延在している複数の行導体のシュプールと、
を有する表示装置であって、
−  ２番目の行から中間の行までのための前記シュプールは、前記１番目の行のための前記シュプールの一方の側に延在しており、
−  前記中間の行の後の行から前記最後の行までのための前記シュプールは、前記１番目の行のための前記シュプールの他方の側に延在している、
表示装置。
【請求項２】
前記ピクセルの前記１番目の行の長さが、前記ピクセルの最長の行の長さよりも短い、請求項１に記載の表示装置。
【請求項３】
各シュプールが、隣接する行のための前記シュプールに隣接している、請求項１又は２に記載の表示装置。
【請求項４】
前記行導体が前記アレイの外側に延在していない、請求項１ないし３の何れか一項に記載の表示装置。
【請求項５】
前記１番目の行のための前記シュプールが、前記シュプールの中央の３つのうちにある、請求項１ないし４の何れか一項に記載の表示装置。
【請求項６】
Ｎ個の行導体及びシュプールを有する請求項１ないし５の何れか一項に記載の表示装置であって、ｋを正の整数として、１番目ないしｋ番目の前記シュプールが、前記行（Ｎ−ｋ＋１）ないしＮに接続されており、（ｋ＋１）番目ないしＮ番目までの前記シュプールが、前記行１ないし（Ｎ−ｋ）に接続されている、表示装置。
【請求項７】
ｋが０．２５Ｎから０．７５Ｎの範囲内にある、請求項６に記載の表示装置。
【請求項８】
ｋが０．２５Ｎから０．５０Ｎの範囲内にある、請求項６又は７に記載の表示装置。
【請求項９】
前記アレイの外側に配されていると共に、前記列導体及び前記シュプールに接続されている行及び列ドライバ回路を更に有する、請求項１ないし８の何れか一項に記載の表示装置。
【請求項１０】
前記行及び列ドライバ回路が１つ以上の集積回路を有する、請求項９に記載の表示装置。
【請求項１１】
前記行及び列ドライバ回路が、各行導体に対するアドレス指定パルスを、対応するシュプールに、順次、供給すると同時に、ピクセルのそれぞれの行に対するデータを前記列導体に供給する、請求項９又は１０に記載の表示装置。
【請求項１２】
前記行及び列ドライバ回路は、順次、行ドライバ開始パルスに応答して、前記１番目から前記最後までの行導体に対するアドレス指定パルスを供給し、前記行及び列ドライバ回路は、前記行開始パルスを前記列導体に供給される前記データに対して遅延させる遅延素子を更に有する、請求項１１に記載の表示装置。
【請求項１３】
前記表示装置は、アクティブマトリックス液晶表示装置である、請求項１ないし１２の何れか一項に記載の表示装置。
【請求項１４】
−  基板と、
−  前記基板上に行列状に配されている表示ピクセルのアレイであって、１番目及び最後の行はそれぞれ前記アレイの最上部及び最下部にあり、前記アレイの外形は非長方形である、表示ピクセルのアレイと、
−  各々がピクセルのそれぞれの行に接続されている数Ｎ個の行導体、及び各々がピクセルのそれぞれの列に接続されており、前記アレイの外側へ延在している複数の列導体と、
−  各々が前記列導体に平行であると共に、それぞれの行導体から前記アレイの外側へ延在している数Ｎ個の行導体のシュプールであって、２番目の前記行から中間の前記行までのための前記シュプールは、前記１番目の行のための前記シュプールの一方の側に延在しており、前記中間の行の後の行から前記最後の行までのための前記シュプールは、前記１番目の行のための前記シュプールの他方の側に延在している、数Ｎ個の行導体のシュプールと、
を有する表示装置を駆動する方法であって、
−  （ａ）（ｋ＋１）番目ないしＮ番目の前記シュプールに関して、アドレス指定信号を、前記シュプールに、順次、供給すると同時に、ピクセルの前記１番目ないし（Ｎ−ｋ）番目の行のためのデータを前記列導体に、順次、供給するステップと、
−  （ｂ）１番目ないしｋ番目の前記シュプールに関して、アドレス指定信号を、前記シュプールに、順次、供給すると同時に、ピクセルの（Ｎ−ｋ＋１）番目ないしＮ番目の行のためのデータを、前記列導体に、順次、供給するステップと、
−  （ｃ）データの各フレームに関してステップ（ａ）及び（ｂ）を繰り返すステップと、
を有する方法。
【発明の詳細な説明】
【技術分野】
【０００１】
本発明は、非長方形表示装置に関する。詳細には、この発明は、行及び列導体のマトリックスによってアドレス指定される非長方形表示装置のためのアドレス指定方式に関する。
【背景技術】
【０００２】
行及び列導体のマトリックスによってアドレス指定される表示装置が、よく知られている。このような一例は、アクティブマトリックス液晶表示（ＬＣＤ）装置である。アクティブマトリックスＬＣＤ装置は、民生電子機器、コンピュータ、産業機械及び通信装置を含む、ますます幅広くなっている種類の製品において使用されている。
【０００３】
典型的なアクティブマトリックスＬＣＤ装置は、模式的に図１に示されている。装置１は、行列状に配されており規則的に離間されているピクセル３のマトリックスアレイを持つフラットパネルを有する。簡潔さのために、いくつかのピクセルのみが示されている。各ピクセル３は、液晶（ＬＣ）セル、薄膜トランジスタ（ＴＦＴ）のような関連するスイッチ手段、及びコンデンサのような電荷蓄積装置を有している。簡潔さのために、１つのピクセルのみの構造が示されている。ピクセルの各行は、コモン行導体５を共有しており、ピクセルの各列は、コモン列導体７を共有している。行及び列導体５，７のそれぞれの集合は、行（走査）ドライバ回路９及び列（データ）ドライバ回路１１に接続されている。ドライバ回路９、１１は、集積回路として実施化され、前記フラットパネルの周辺領域に取り付けられている。
【０００４】
使用の際、ピクセル３は、関連する行導体５における行アドレス指定パルスと同期して、関連する列導体７上に供給される適切な信号によって、必要とされるグレーレベルに駆動される。前記行アドレス指定パルスは、当該ＴＦＴをオンにし、これにより、前記列導体が前記ＬＣセル及びコンデンサを適切なレベルまで充電することを可能にする。前記行アドレス指定パルスの終端において、前記ＬＣセルにおける電荷は、前記コンデンサによって維持される。ピクセルの行は、全ての行が１フレーム期間内にアドレス指定されると共に、後続のフレーム期間においてリフレッシュされるように、順次アドレス指定される。
【発明の開示】
【発明が解決しようとする課題】
【０００５】
従来の表示装置は、形状が長方形であり、このことは、表示器におけるピクセルの全てが、単一の行ドライバ回路及び単一のアドレスドライバ回路によってアドレス指定されることを可能にしている。しかしながら、製品設計者は、今や、表示領域の縁部が製品のケーシングの湾曲された外面を、接近して追従することができるように、非長方形の表示装置を製品に組み込みたいと思っており、このことは、変更されたアドレス指定方式を必要とする。これは、特に、大きい表示領域を必要とする小型化された製品の場合である。従って、ドライバ回路及び接続部を収容するための小さい周辺非表示領域を有する非長方形表示器に対する必要性がある。
【０００６】
国際特許出願公開第ＷＯ０３／１０２９０５号は、前記行及び列導体が、表示装置の周部の周りに交互に分布されている複数の行及び列のドライバ部によってアドレス指定される非長方形の表示器に対するアドレス指定方式を開示している。この取り組み方は、前記表示装置のアドレス指定回路および接続部を収容する領域の減少を可能にしているが、この装置のこれらの部分は、未だ、大幅な前記周部領域を消費している。この周部領域は、前記表示領域の一部を形成していない。
【０００７】
米国特許第２００２／００７５４４０号は、非長方形表示器のためのアドレス指定方式であって、前記行及び列導体が前記のようなアレイの同じ側からアドレス指定されるアドレス指定方式を開示している。これは、前記行導体に電気的に接続されているシュプール（ｓｐｕｒ）であって、前記列導体と平行に走っているシュプールを設けることによって達成されている。この場合、前記ドライバ回路及び接続部は、前記周部の１つの領域内に設けられることができ、前記行導体は、前記シュプールを介して接続されている。米国特許第２００２／００７５４４０号は、前記のような配置のアドレス指定の実施化を考慮していない。
【課題を解決するための手段】
【０００８】
本発明の第１の見地によれば、
−  基板と、
−  前記基板上に行列状に配されている表示ピクセルのアレイであって、１番目及び最後の行は前記アレイの最上部及び最下部にあり、前記アレイの外形は非長方形である、表示ピクセルのアレイと、
−  各々がピクセルのそれぞれの行に接続されている複数の行導体、及び各々がピクセルのそれぞれの列に接続されており、前記アレイの外側へ延在している複数の列導体と、
−  各々が前記列導体に平行であると共に、それぞれの行導体から前記アレイの外側へ延在している複数の行導体のシュプールと、
を有する表示装置であって、
−  第２の前記行から中間の行までの行のための前記シュプールが、前記１番目の行のための前記シュプールの一方の側に延在しており、
−  前記中間の行の後の行から前記最後の行までの行のための前記シュプールが、前記１番目の行のための前記シュプールの他方の側に延在している、
表示装置が提供される。
【０００９】
従って、本発明は、列導体及び行導体のシュプールに対する平行なアドレス指定を使用している表示装置を提供する。前記行導体のシュプールは、前記列導体と同じ方向に走っており、それぞれの行導体に接続されている。前記１番目の行導体に接続されているシュプールは、前記アレイの側部に設けられているのではなく、その代わりに、中央領域内に設けられており、後続の行導体のためのシュプールが前記１番目の行導体のためのシュプールのいずれかの側に分散されている。このような配置は、前記１番目の行導体が、前記アレイの側までずっと延在する必要がないので、非長方形の表示器の形における平行なアドレス指定を可能にする。その代わり、前記１番目の行導体に接続されているシュプールは、前記１番目の行導体に沿ったいかなる場所にも配されることができる。
【００１０】
ピクセルの前記１番目の行の長さは、ピクセルの最長の行の長さよりも短くても良い。前記のような形状を有する非長方形の表示器は、本発明によって容易に実施化される。
【００１１】
各シュプールは、隣接行のための前記シュプールに隣接しているのが好ましい。この配置において、前記シュプールは、該シュプールが接続されている前記行導体と同じ順序で走っている。しかしながら、前記シュプールは、固定された偏位だけ、それぞれの行導体に対して変位されている。従って、本発明による装置のアドレス指定のタイミングの影響は、最小化される。前記装置は、従来の行及びドライバ回路を使用してアドレス指定されることもできるが、列のドライバの出力に対して、行ドライバの出力は、時間的に遅延されている。このようにして、望まれていない電気効果を生じ得る前記シュプールの順を再配置するための複雑な交差の配置が回避されることができると共に、完全に再設計された行及び列ドライバ回路に対するいかなる要件も回避している。交差配置は、行導体のシュプールを前記列導体から分離するのに必要であり続けても良く、又は必要であり続けなくても良い。
【００１２】
好ましくは、前記行導体は、前記アレイの外側へ延在していない。前記のような配置は、前記装置の非長方形の周辺領域を最小化する。
【００１３】
好ましくは、前記１番目の行導体に接続されているシュプールは、前記シュプールの中央の３つの中にある。前記のような配置は、前記表示器の幅の外側の３つが、ピクセルの前記１番目の行までずっと延在する必要がなく、即ち前記ピクセルの１番目の行は、前記表示器の最大の幅を超えて延在する必要がないので、前記アレイの形状に対して大幅な設計自由度を与える。
【００１４】
前記装置は、好ましくは、Ｎ個の行導体及びシュプールを有し、１番目及びＮ番目のシュプールは、前記アレイの対向する側にある。ｋを正の整数として、１番目ないしｋ番目までのシュプールは、好ましくは、行（Ｎ−ｋ＋１）ないしＮに接続されている。（ｋ＋１）番目ないしＮ番目のシュプールは、好ましくは、行１ないし(Ｎ−ｋ)に接続されている。
【００１５】
ｋは、好ましくは、０．２５Ｎから０．７５Ｎの範囲にあり、より好ましくは０．２５Ｎから０．５０Ｎの範囲にある。
【００１６】
前記装置は、前記アレイの外側に配されており、前記列導体及び前記シュプールに接続されている行及び列ドライバ回路を更に有するのが好ましい。前記行及び列ドライバ回路は、導電性トラックのファンアウト（ｆａｎ−ｏｕｔ）領域を介して、前記列導体及び前記シュプールに接続されているのが好ましい。
【００１７】
好ましくは、前記列及び行ドライバ回路は、２つ以上の集積回路を有する。代替的には、前記行及び列ドライバ回路は、前記基板上に直接的に実施化されることもできる。
【００１８】
前記行及び列ドライバ回路は、各行導体に対するアドレス指定パルスを、順次、対応するシュプールに供給し、同時に、ピクセルのそれぞれの行のためのデータを前記列導体に供給するのが好ましい。
【００１９】
好ましくは、前記行及び列ドライバ回路は、行ドライバの開始パルスに応答して、順次、前記１番目から最後までの行導体のための前記アドレス指定パルスを供給し、前記行及び列ドライバ回路は、前記行開始パルスを、前記列導体に供給されるべきデータに対して遅延させるように配されている遅延素子を更に有する。
【００２０】
前記装置は、好ましくは、アクティブマトリックス液晶表示装置である。
【００２１】
本発明は、
−  基板と、
−  前記基板上に行列状に配されている表示ピクセルのアレイであって、１番目及び最後の行はそれぞれ前記アレイの最上部及び最下部にあり、前記アレイの外形は非長方形である、表示ピクセルのアレイと、
−  各々がピクセルのそれぞれの行に接続されている数Ｎ個の行導体、及び各々がピクセルのそれぞれの列に接続されており、前記アレイの外側へ延在している複数の列導体と、
−  各々が前記列導体に平行であると共に、それぞれの行導体から前記アレイの外側へ延在している数Ｎ個の行導体のシュプールであって、２番目の前記行から中間の前記行までのための前記シュプールは、前記１番目の行のための前記シュプールの一方の側に延在しており、前記中間の行の後の行から前記最後の行までのための前記シュプールは、前記１番目の行のための前記シュプールの他方の側に延在している、数Ｎ個の行導体のシュプールと、
を有する表示装置を駆動する方法であって、
−  （ａ）（ｋ＋１）番目ないしＮ番目の前記シュプールに関して、アドレス指定信号を、前記シュプールに、順次、供給すると同時に、ピクセルの前記１番目ないし（Ｎ−ｋ）番目の行のためのデータを前記列導体に、順次、供給するステップと、
−  （ｂ）１番目ないしｋ番目の前記シュプールに関して、アドレス指定信号を、前記シュプールに、順次、供給すると同時に、ピクセルの（Ｎ−ｋ＋１）番目ないしＮ番目の行のためのデータを、前記列導体に、順次、供給するステップと、
−  （ｃ）データの各フレームに関してステップ（ａ）及び（ｂ）を繰り返すステップと、
を有する方法も提供する。
【発明を実施するための最良の形態】
【００２２】
ここで、例として、本発明の好適実施例が、添付図面を参照して詳細に記載される。
【００２３】
本発明は、行及び列導体のアレイを使用する非長方形の表示器のアドレス指定に関する。
【００２４】
図２は、本発明による表示装置を示している。当該装置１００は、基板上に行列状に配された表示ピクセルの非長方形アレイ１０２を有する。この例において、前記アレイは、長い湾曲された側と、短い平らな側とを有する「Ｄ」字型である。しかしながら、前記アレイは、何らかの適切な非長方形の形状を有していてもよい。例えば、当該図に示されている前記アレイの前記平らな側は、実際、前記平らな側に対してわずかな湾曲を有していても良い。１番目の行及び最後の行は、前記アレイの最上部及び最下部に位置されている。
【００２５】
前記装置は、それぞれのピクセルの行に各々接続されている複数の行導体１０４を更に有する。例えば、前記１番目の行のピクセルは行導体１０４Ａに接続されており、最後の行のピクセルは、行導体１０４Ｂに接続されている。同様に、当該装置は、それぞれのピクセルの列に各々接続されている複数の列導体の１０６も有する。例えば、前記ピクセルの１番目の列は、列導体１０６Ａに接続されており、ピクセルの最後の列は、列導体１０６Ｂに接続されている。
【００２６】
列導体１０６は、自身の端部の一方においてアレイ１０２の縁１０８の外側へ延在し、これらの端部は列ドライバ回路に接続されており、後述される。行導体１０４は、自身の端部のいずれにおいてもアレイ１０２の外側へ延在しておらず、このことが、当該装置の非表示周辺領域が最小化されることを保証している。
【００２７】
行導体１０４は、それぞれの行導体のシュプール１１０を介して行ドライバ回路（図示略）に接続されている。前記行導体のシュプールは、列導体１０６と同じ方向に延在している。各行導体のシュプール１１０の一方の端部は、異なる行導体１０４に接続されている。行導体のシュプール１１０の他方の端部は、アレイ１０２の縁１０８の外側へ延在しており、前記行ドライバ回路への接続を提供しており、後述される。
【００２８】
前記行導体のシュプールは、前記表示器の一方の側における１番目のシュプール１１０Ａから前記表示器の反対の側における最後のシュプール１１０Ｂまで走っている。この例において、前記シュプールは、左側から右側に走っているが、代替的には、右側から左側に走っていても良い。
【００２９】
１番目の行導体１０４Ａは、アレイ１０２のほぼ中央において、中間の順番の行導体のシュプール１１０Ｃに接続されている。１番目の行導体１０４Ａが接続されている特定のシュプール１１０Ｃは、前記１番目の行導体１０４Ａの位置及び長さによって決定（ｄｉｃｔａｔｅｄ）される。この例において、１番目の行導体１０４Ａは、アレイ１０２の中央に位置されており、短い。従って、前記１番目の行導体１０４Ａに接続されているシュプール１１０Ｃは、アレイ１０２の中央に設けられている。１番目の行導体１０４Ａが長いほど、シュプール１１０Ｃの位置の決定における設計の柔軟性が広がる。
【００３０】
２番目の行導体は、中間の行のシュプール１１０Ｃに隣接したシュプールに接続される。この例において、これは、中間のシュプール１１０Ｃの直ぐ右にある行導体シュプールであるが、代替的には、直ぐ左にあるシュプールであっても良い。前記のような右側へのシュプールは、類似の仕方で後続の行導体に接続されており、この結果、各シュプールは、隣接する行導体のためのシュプールに隣接している。シュプール１１０Ｃの右側のシュプール１１０の数は、シュプール１１０Ｃの前記アレイにおける位置に依存する。典型的には、このことは、行導体１０４の全てに必要なシュプール１１０の総数の半分前後である。
【００３１】
残りのシュプール１１０は、中間のシュプール１１０Ｃの左側に設けられている。再び、シュプール１１０は行導体１０４に接続されており、この結果、各シュプールは、隣接する行導体のための前記シュプールに隣接している。
【００３２】
本発明による行導体のシュプールの前記のような配置は、前記１番目の行導体が前記アレイの何らかの特定の位置まで延在するという要件が存在しないので、非長方形の表示器を可能にする。その代わりに、前記行導体のシュプールが、前記１番目の行導体に隣接して位置され、後続の行導体のシュプールは、これに従って配される。Ｎ個の行導体及びシュプールを有する表示器の場合、ｋを正の整数として、１番目からｋ番目までのシュプールは、行（Ｎ−ｋ＋１）からＮに接続されている。この場合、（ｋ＋１）番目からＮ番目のシュプールは、行１ないし（Ｎ−ｋ）に接続されている。正の整数ｋは、前記１番目の行導体に接続されているシュプールに先行する行導体のシュプールの数に対応している。
【００３３】
図３は、図２に示されている表示装置であるが、行及び列ドライバ回路２００を有す表示装置を示している。前記行及び列ドライバ回路は、行ドライバ集積回路２００Ａ及び列ドライバ集積回路２００Ｂを有する。アレイ１０２の縁１０８を超えて延在する列導体１０６及び行導体のシュプール１１０は、当該表示装置のファンアウト領域２０２において別々に集められ、行ドライバ集積回路２００Ａ及び列ドライバ集積回路２００Ｂに接続されている。別個の集積回路が示されているが、前記行及び列ドライバ回路は、単一の集積回路に組み込まれても良く、この場合、前記列導体及び前記列導体のシュプールの集まりは、必要とされても良く、又は必要とされなくても良い。
【００３４】
シュプール１１０は、自身が接続されている前記行導体１０４と同じ順序で走っている。しかしながら、シュプール１１０は、自身の対応する行導体１０４に対して、固定された偏位だけ変位されている。従って、前記表示器は、従来の行及びドライバ回路を使用してアドレス指定されても良いが、前記行ドライバ回路の出力は、前記列ドライバ回路の出力に対して時間的に遅延されている。前記行ドライバ回路の遅延は、シュプール１１０の固定された偏位に対応しており、遅延素子２０４によって提供される。このようにして、本発明による当該装置の前記のようなアドレス指定のタイミングの影響が、最小化されている。
【００３５】
行開始パルスは、集積回路２００Ａ及び２００Ｂ内のドライブ回路を制御する。特に、前記行開始パルスの上昇エッジは、走査（即ち、前記行導体の各々の順次の選択）を開始するように行ドライバ回路を開始させる。
【００３６】
行導体１０４に対するシュプール１１０の偏位は、前記列ドライバ回路によって提供されるデータに対して、前記行ドライバ回路の走査のタイミングを遅延させることによって、補償されることができる。
【００３７】
従って、最小限に変形された従来のドライバ回路は、本発明による前記表示装置を駆動するのに使用されることができる。
【００３８】
図４は、図３に示されている表示装置のためのタイミングチャートを示している。前記のようなチャートは、遅延された前記行開始パルスと、前記のような行ドライバの走査と、前記列ドライバによって出力されたデータとの相対的なタイミングを示している。前記タイミングチャートから、前記遅延された行開始パルスは、前記行ドライバによる行導体のシュプールの選択のタイミングを、前記列ドライバによって前記列に供給されるデータのタイミングに対して遅延させる。この遅延されたタイミングは、前記シュプールと前記行導体との間の接続関係を補償しており、特定のシュプール／行導体の組み合わせが、選択される／アドレス指定される場合、正しいデータが前記列導体に供給されるのを保証している。
【００３９】
語「行」及び「列」は、当該明細書及び添付請求項において、どちらかというと任意なものである。これらの語は、共通の接続を共有している素子の直交ラインによる素子のアレイが存在することを明確にするためのものである。通常、行は、表示器の側部から側部まで走るものであり、列は上方から下方へと走るものであるとみなされているが、これらの語の使用は、この点に限定しているものではない。
【００４０】
本発明は、アクティブマトリックスＬＣＤ表示装置を参照して記載されている。しかしながら、本発明は、ピクセルと、交差する直交導体とを有する表示器のいかなる種類にも適用されることができる。従って、本発明は、エレクトロルミンネッセント表示装置に適用されることもできる。
【００４１】
上述された例の行及び列ドライバ回路は、集積回路を有している。しかしながら、行及び列ドライバ回路は、代替的には、表示ピクセルと同じ基板上に形成されることもでき、例えば、前記ピクセルと前記ドライバ回路とは、ポリシリコン処理技術を使用して形成されることもできる。代替的には、前記ドライバ回路は、異なる基板上に又は前記表示領域への基板上に設けられても良い。
【００４２】
本発明の他のフィーチャは、当業者にとって明らかである。
【図面の簡単な説明】
【００４３】
【図１】既知の表示装置を模式的に示している。
【図２】本発明による表示装置を示している。
【図３】行及び列ドライバ回路を有する図２に示されている前記表示装置を示している。
【図４】図３に示されている前記表示装置のためのタイミングチャートを示している。
【図１】
2008501138.tif 000003
【図２】
2008501138.tif 000004
【図３】
2008501138.tif 000005
【図４】
2008501138.tif 000006
【国際調査報告】
2008501138.tif 000007
2008501138.tif 000008